(57)【要約】【課題】同じスリット幅を用いた観察を容易に行うことが可能な細隙灯顕微鏡を提供する。【解決手段】実施形態の細隙灯顕微鏡は、光源と、一対のスリット刃と、アクチュエータと、機構と、記憶部と、操作部と、制御部とを有する。光源は、照明光を発する。スリット刃は、照明光からスリット光を生成する。アクチュエータは、駆動力を発生する。機構は、駆動力に基づいてスリット刃の間隔を変更する。記憶部は、スリット刃の間隔を示す間隔情報を１つ以上記憶する。制御部は、１つ以上の間隔情報のうちの１つをユーザが操作部を用いて指定したときに、スリット刃の間隔が当該指定された間隔情報に示す間隔となるようにアクチュエータを制御する。【選択図】図３
2014033733.tif 000002
【特許請求の範囲】
【請求項１】
照明光を発する光源と、
前記照明光からスリット光を生成する一対のスリット刃と、
駆動力を発生するアクチュエータと、
前記駆動力に基づいて前記スリット刃の間隔を変更する機構と、
前記スリット刃の間隔を示す間隔情報を１つ以上記憶する記憶部と、
操作部と、
前記１つ以上の間隔情報のうちの１つをユーザが前記操作部を用いて指定したときに、前記スリット刃の間隔が当該指定された間隔情報に示す間隔となるように前記アクチュエータを制御する制御部と
を有する細隙灯顕微鏡。
【請求項２】
ユーザが前記操作部を用いて所定の操作を行ったときに、前記制御部は、当該時点における前記スリット刃の間隔を示す間隔情報を生成して前記記憶部に記憶させることを特徴とする請求項１に記載の細隙灯顕微鏡。
【請求項３】
前記操作部は、１以上のボタンを含み、
前記制御部は、前記ボタンのそれぞれに対し、前記記憶部に記憶された前記間隔情報の１つを対応付け、
前記間隔情報を指定する操作は、前記ボタンの第１の操作であり、
前記所定の操作は、前記第１の操作と異なる前記ボタンの第２の操作である
ことを特徴とする請求項２に記載の細隙灯顕微鏡。
【請求項４】
前記間隔情報は、患者識別情報と関連付けられて前記記憶部に記憶されることを特徴とする請求項１〜請求項３のいずれか一項に記載の細隙灯顕微鏡。
【発明の詳細な説明】
【技術分野】
【０００１】
この発明は細隙灯顕微鏡に関する。
【背景技術】
【０００２】
細隙灯顕微鏡は、スリット光を用いて角膜の光切片を切り取ることにより角膜の断面の画像を取得する眼科装置である。細隙灯顕微鏡には、スリット光を得るための一対のスリット刃が設けられている。検者はスリット刃の間隔（スリット幅）を適宜に調整しつつ観察を行う。
【先行技術文献】
【特許文献】
【０００３】
【特許文献１】特開２００９−１７８４５９号公報
【発明の概要】
【発明が解決しようとする課題】
【０００４】
細隙灯顕微鏡を用いた検査において、同じスリット幅を繰り返し適用して観察を行いたい場合がある。たとえば、一の検査においてスリット幅（及び照明方向）を変更しつつ被検眼を観察する場合において、同じスリット幅を再度用いて観察を行いたいことがある。また、経過観察や術前術後観察において、過去の検査で用いたスリット幅を再現して観察を行いたいことがある。
【０００５】
このような場合、従来の細隙灯顕微鏡では、その都度スリット幅の調整を行っていた。しかし、スリット幅の調整は高い精度で行う必要があり、これをその都度行うことは手間であり、検査の長時間化の要因にもなっていた。
【０００６】
この発明の目的は、同じスリット幅を用いた観察を容易に行うことが可能な細隙灯顕微鏡を提供することにある。
【課題を解決するための手段】
【０００７】
上記目的を達成するために、請求項１に記載の細隙灯顕微鏡は、照明光を発する光源と、前記照明光からスリット光を生成する一対のスリット刃と、駆動力を発生するアクチュエータと、前記駆動力に基づいて前記スリット刃の間隔を変更する機構と、前記スリット刃の間隔を示す間隔情報を１つ以上記憶する記憶部と、操作部と、前記１つ以上の間隔情報のうちの１つをユーザが前記操作部を用いて指定したときに、前記スリット刃の間隔が当該指定された間隔情報に示す間隔となるように前記アクチュエータを制御する制御部とを有する細隙灯顕微鏡である。
また、請求項２に記載の発明は、請求項１に記載の細隙灯顕微鏡であって、ユーザが前記操作部を用いて所定の操作を行ったときに、前記制御部は、当該時点における前記スリット刃の間隔を示す間隔情報を生成して前記記憶部に記憶させることを特徴とする。
また、請求項３に記載の発明は、請求項２に記載の細隙灯顕微鏡であって、前記操作部は、１以上のボタンを含み、前記制御部は、前記ボタンのそれぞれに対し、前記記憶部に記憶された前記間隔情報の１つを対応付け、前記間隔情報を指定する操作は、前記ボタンの第１の操作であり、前記所定の操作は、前記第１の操作と異なる前記ボタンの第２の操作であることを特徴とする。
また、請求項４に記載の発明は、請求項１〜請求項３のいずれか一項に記載の細隙灯顕微鏡であって、前記間隔情報は、患者識別情報と関連付けられて前記記憶部に記憶されることを特徴とする。
【発明の効果】
【０００８】
この発明に係る細隙灯顕微鏡によれば、同じスリット幅を用いた観察を容易に行うことが可能である。
【図面の簡単な説明】
【０００９】
【図１】実施形態に係る細隙灯顕微鏡の外観構成の一例を表す概略側面図である。
【図２】実施形態に係る細隙灯顕微鏡の光学系の構成の一例を表す概略側面図である。
【図３】実施形態に係る細隙灯顕微鏡の制御系の構成の一例を表す概略ブロック図である。
【図４】実施形態に係る細隙灯顕微鏡の動作の一例を表すフローチャートである。
【図５】実施形態に係る細隙灯顕微鏡の動作の一例を表すフローチャートである。
【発明を実施するための形態】
【００１０】
この発明に係る細隙灯顕微鏡の実施形態の一例について、図面を参照しながら詳細に説明する。なお、この明細書に記載された文献の記載内容を、以下の実施形態の内容として適宜援用することが可能である。
【００１１】
まず方向を定義しておく。装置光学系において最も被検者側に位置する光学素子から被検者に向かう方向を前方向とし、その逆方向を後方向とする。また、前方向に直交する水平方向を左右方向をとする。更に、前後方向と左右方向の双方に直交する方向を上下方向とする。
【００１２】
［外観構成］
この実施形態に係る細隙灯顕微鏡の外観構成について、図１を参照しながら説明する。細隙灯顕微鏡１には、コンピュータ１００が接続されている。コンピュータ１００は、各種の制御処理や演算処理を行う。なお、顕微鏡本体（光学系等を格納する筐体）とは別にコンピュータ１００を設ける代わりに、顕微鏡本体に同様のコンピュータを搭載した構成を適用することも可能である。
【００１３】
細隙灯顕微鏡１はテーブル２上に載置される。なお、コンピュータ１００は他のテーブル上又はその他の場所に設置されていてもよい。基台４は、移動機構部３を介して水平方向に移動可能に構成されている。基台４は、操作ハンドル５を傾倒操作することにより移動される。
【００１４】
基台４の上面には、観察系６及び照明系８を支持する支持部１５が設けられている。支持部１５には、観察系６を支持する支持アーム１６が左右方向に回動可能に取り付けられている。支持アーム１６の上部には、照明系８を支持する支持アーム１７が左右方向に回動可能に取り付けられている。支持アーム１６、１７は、それぞれ独立に同軸で回動可能とされている。
【００１５】
観察系６は、支持アーム１６を手動で回動させることで移動される。照明系８は、支持アーム１７を手動で回動させることで移動される。なお、各支持アーム１６、１７は、電気的な機構によって回動されるように構成されていてもよい。その場合、各支持アーム１６、１７を回動させるための駆動力を発生するアクチュエータと、この駆動力を伝達する伝達機構とが設けられる。アクチュエータは、たとえばパルスモータにより構成される。伝達機構は、たとえば歯車の組み合わせやラック・アンド・ピニオンなどによって構成される。
【００１６】
照明系８は、被検眼Ｅに照明光を照射する。照明系８は、前述のように、上下方向に延びる回動軸を中心に左右方向に振ることができる。それにより被検眼Ｅに対する照明光の照射方向が変更される。照明系８は上下方向にも振れるように構成されていてもよい。つまり、照明光の仰角や俯角を変更できるように構成されていてもよい。
【００１７】
観察系６は、被検眼Ｅによる照明光の反射光を案内する左右一対の光学系を有する。この光学系は鏡筒本体９内に収納されている。鏡筒本体９の終端は接眼部９ａである。検者は接眼部９ａをのぞき込むことで被検眼Ｅを肉眼で観察する。前述のように、支持アーム１６を回動させることにより鏡筒本体９を左右方向に回動させることができる。それにより被検眼Ｅに対する観察系６の向きを変更することができる。なお、照明光の反射光には、たとえば散乱光のように被検眼Ｅを経由した各種の光が含まれるが、これら各種の光を含めて「反射光」と呼ぶことにする。
【００１８】
鏡筒本体９に対峙する位置には顎受け台１０が配置されている。顎受け台１０には、被検者の顔を安定配置させるための顎受部１０ａと額当て１０ｂが設けられている。
【００１９】
鏡筒本体９の側面には、観察倍率を変更するための観察倍率操作ノブ１１が配置されている。更に、鏡筒本体９には、被検眼Ｅを撮影するための撮像装置１３が接続されている。撮像装置１３は撮像素子を含んで構成されている。撮像素子は、光を検出して電気信号（画像信号）を出力する光電変換素子である。画像信号はコンピュータ１００に入力される。撮像素子としては、たとえばＣＣＤ（Ｃｈａｒｇｅ  Ｃｏｕｐｌｅｄ  Ｄｅｖｉｃｅ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサが用いられる。照明系８の下方位置には、照明系８から出力される照明光束を被検眼Ｅに向けて反射するミラー１２が配置されている。
【００２０】
［光学系の構成］
細隙灯顕微鏡１の光学系の構成について、図２を参照しながら説明する。細隙灯顕微鏡１は観察系６と照明系８を有する。
【００２１】
〔観察系〕
観察系６は左右一対の光学系を備えている。左右の光学系は、ほぼ同様の構成を有する。検者は、この左右の光学系により被検眼Ｅを双眼で観察することができる。なお、図２には、観察系６の左右の光学系の一方のみが示されている。符号Ｏ１は観察系６の光軸（観察光軸）である。
【００２２】
観察系６の左右の各光学系は、対物レンズ３１、変倍光学系３２、絞り３３、リレーレンズ３５、プリズム３６及び接眼レンズ３７を有する。ビームスプリッタ３４は、左右の光学系の一方のみに又は双方に設けられる。接眼レンズ３７は接眼部９ａ内に設けられている。符号Ｐは、接眼レンズ３７に導かれる光の結像位置を示している。符号Ｅｃは被検眼Ｅの角膜を、符号Ｅｐは虹彩を、符号Ｅｒは眼底をそれぞれ示している。符号Ｅｏは検者眼を示している。
【００２３】
変倍光学系３２は、複数（たとえば２枚）の変倍レンズ３２ａ、３２ｂを含んで構成される。各変倍レンズ３２ａ、３２ｂは観察光軸Ｏ１に沿って移動可能とされている。それにより、被検眼Ｅの肉眼観察像や撮影画像の倍率（画角）を変更できる。倍率の変更は、観察倍率操作ノブ１１を操作することにより行われる。また、図示しないスイッチ等を用いて電動で倍率を変更するように構成してもよい。
【００２４】
ビームスプリッタ３４は、観察光軸Ｏ１に沿って進む光を二分割する。ビームスプリッタ３４を透過した光は、リレーレンズ３５、プリズム３６及び接眼レンズ３７を介して検者眼Ｅｏに導かれる。プリズム３６は、２つの光学素子３６ａ、３６ｂを含み、光の進行方向を上方に平行移動させる。
【００２５】
他方、ビームスプリッタ３４により反射された光は、リレーレンズ４１及びミラー４２を介して、撮像装置１３の撮像素子４３に導かれる。撮像素子４３は、この反射光を検出して画像信号を生成する。
【００２６】
〔照明系〕
照明系８は、光源５１、リレーレンズ５２、照明絞り５６、集光レンズ５３、スリット形成部５４及び集光レンズ５５を有する。符号Ｏ２は、照明系８の光軸（照明光軸）を示す。
【００２７】
光源５１は照明光を出力する。なお、照明系８に複数の光源を設けてもよい。たとえば、定常光を出力する光源（ハロゲンランプ、ＬＥＤ等）と、フラッシュ光を出力する光源（キセノンランプ、ＬＥＤ等）の双方を光源５１として設けることができる。また、角膜観察用の光源と眼底観察用の光源とを別々に設けてもよい。
【００２８】
スリット形成部５４は、スリット光を生成するために用いられる。スリット形成部５４は、一対のスリット刃を有する。これらスリット刃の間隔を変更することによりスリット幅が変更される。
【００２９】
スリット刃は、アクチュエータ２００と駆動機構２１０によって移動される。アクチュエータ２００は、駆動力を発生するデバイスであり、たとえばパルスモータにより構成される。駆動機構２１０は、アクチュエータ２００により発生された駆動力に基づいてスリット刃の間隔を変更するものであり、「機構」に相当する。
【００３０】
スリット形成部５４の近傍には検出部３００が設けられている。検出部３００は、スリット刃が所定の基準位置に位置していることを検出する。検出部３００は、たとえばフォトセンサである。フォトセンサは、発光素子と受光素子とを有し、検出物体（スリット刃）による光の変化を検知して電気信号を出力するデバイスである。
【００３１】
照明絞り５６は、その透光部のサイズを変更可能に構成されている。照明絞り５６は、特に眼底観察において有効である。たとえば、照明絞り５６には、角膜Ｅｃや水晶体による照明光の反射を低減させたり、照明光の明るさを調整したりといった用途がある。
【００３２】
［制御系の構成］
細隙灯顕微鏡１の制御系について、図３を参照しながら説明する。細隙灯顕微鏡１の制御系は、制御部１０１を中心に構成されている。なお、図３には、この実施形態で特に注目する構成部位のみが記載されており、それ以外の構成部位は省略されている。
【００３３】
〔制御部〕
制御部１０１は、細隙灯顕微鏡１の各部を制御する。たとえば、制御部１０１は、観察系６の制御や照明系８の制御などを行う。観察系６の制御としては、変倍光学系３２の制御、絞り３３の制御、撮像素子４３の電荷蓄積時間、感度、フレームレート等の制御などがある。照明系８の制御としては、光源５１の制御、照明絞り５６の制御、スリット形成部５４の制御などがある。なお、スリット形成部５４の制御は、アクチュエータ２００を制御することにより行われる。アクチュエータ２００がパルスモータである場合、制御部１０１は、アクチュエータ２００にパルス信号を送信する。また、制御部１０１には、検出部３００からの電気信号が入力される。それにより、制御部１０１は、スリット刃が基準位置に位置していることを認識する。また、制御部１０１は、記憶部１０２に記憶されたデータの読み出し処理や、記憶部１０２に対するデータの書き込み処理を行う。また、アクチュエータ２００として、パルスモータ以外のもの、たとえば直流モータを用いることができる。その場合、スリット刃の位置やアクチュエータの動作状態を検出するセンサ（検出部３００）として、ポテンショメータやエンコーダを用いることができる。
【００３４】
制御部１０１は、マイクロプロセッサ、ＲＡＭ、ＲＯＭ、ハードディスクドライブ等のハードウェアを含んで構成される。このハードディスクドライブには、制御プログラムが予め記憶されている。制御部１０１の動作は、この制御プログラムと上記ハードウェアとが協働することによって実現される。
【００３５】
制御部１０１は、細隙灯顕微鏡１の装置本体（たとえば基台４内）やコンピュータ１００に配置される。
【００３６】
〔記憶部〕
記憶部１０２には各種の情報が記憶される。特に、記憶部１０２には、スリット幅情報１０２ａが記憶される。スリット幅情報１０２ａは、スリット形成部５４を構成する一対のスリット刃の間隔（スリット幅）を示す情報を１つ以上含んでいる。各スリット幅を示す情報は「間隔情報」の一例である。間隔情報の作成方法や利用方法については後述する。なお、間隔情報は、後述の手法で作成された情報であってもよいし、デフォルトのスリット幅を示す情報であってもよい。デフォルトのスリット幅の値としては、たとえば、臨床的に取得されたスリット幅のデータを統計的に処理して得られた値（平均値、中央値、最頻値等）を用いることができる。
【００３７】
記憶部１０２は、距離情報をあらかじめ記憶していてもよい。距離情報は、スリット形成部５４のスリット刃が閉じた状態におけるスリット刃の位置と、上記基準位置との間の距離を示す。この距離は、空間的な距離である必要はなく、距離と同値な量であればよい。たとえば、アクチュエータ２００がパルスモータである場合、距離情報は、制御部１０１からパルスモータに送信されるパルス信号のパルス数であってよい。
【００３８】
距離情報の作成は、たとえば、スリット刃が基準位置に位置していることを検出部３００に検出させ、その状態からスリット刃が閉じるまでパルスモータにパルス信号を入力し、入力されたパルス信号のパルス数をカウントすることによって行われる。距離情報の作成は、たとえば、細隙灯顕微鏡１の製品出荷前に行われる。また、細隙灯顕微鏡１の使用を開始した後に、距離情報を補正することもできる。
【００３９】
〔表示部〕
表示部１０３は、制御部１０１の制御を受けて各種の情報を表示する。表示部１０３は、ＬＣＤ等のフラットパネルディスプレイ、ＣＲＴディスプレイなどの任意の表示デバイスを含んで構成される。表示部１０３は、細隙灯顕微鏡１の装置本体に設けられていてもよいし、コンピュータ１００に設けられていてもよい。
【００４０】
〔操作部〕
操作部１０４は、操作デバイスや入力デバイスを含んで構成される。操作部１０４には、装置本体に設けられたボタンやスイッチ（たとえば操作ハンドル５等）や、コンピュータ１００のマウス、キーボードなどが含まれる。また、トラックボール、専用の操作パネル、スイッチ、ボタン、ダイアルなど、任意の操作デバイスや入力デバイスを用いることも可能である。
【００４１】
特に、操作部１０４には、１以上の所定のボタン（スリット幅指定ボタン）が含まれている。各スリット幅指定ボタンには、スリット幅情報１０２ａに含まれる間隔情報の１つが対応付けられている。たとえば、スリット幅指定ボタンが３つ設けられている場合、第ｉのスリット幅指定ボタンに対して第ｉのスリット幅が対応付けられる（ｉ＝１，２，３）。この対応付けは、制御部１０１により行われる。具体例として、制御部１０１は、各スリット幅指定ボタンと間隔情報とを対応付けるテーブル情報によって、この対応付けを管理する。なお、後述のように、この対応付けを任意に変更することが可能である。
【００４２】
このようなスリット幅情報１０２ａを患者毎又は被検眼毎に作成して記憶しておくことができる。その場合、スリット幅情報１０２ａは患者識別情報（患者ＩＤ）や被検眼識別情報（左眼／右眼を示す情報）に関連付けられて記憶部１０２に格納される。たとえば操作部１０４を用いて患者ＩＤの入力や被検眼の指定（左眼／右眼の指定）がなされると、制御部１０１は、指定された情報に基づいて、当該患者又は当該被検眼に関連付けられたスリット幅情報１０２ａを記憶部１０２から検索する。そして、制御部１０１は、検索されたスリット幅情報１０２ａを用いて後述の処理を実行する。
【００４３】
また、各スリット幅指定ボタンに対して押下操作及び長押し操作を行うことが可能である。長押し操作は、押下操作よりも長時間（たとえば数秒程度。あらかじめ設定されている。）にわたりスリット幅指定ボタンを押下して行う操作であり、主に、長時間押下されたボタンに対してスリット幅情報１０２ａを割り当てるために行われる操作である。
【００４４】
スリット幅指定ボタンは、ハードウェアキーでもソフトウェアキーでもよい。ハードウェアキーの場合、一般的なボタンをスリット幅指定ボタンとして用いることができる。ソフトウェアキーの場合、たとえば、スリット幅指定ボタンを含むＧＵＩ（グラフィックユーザインターフェイス）を表示部１０３に表示させ、操作部１０４（ポインティングデバイス）を用いてスリット幅指定ボタンをクリック操作するように構成できる。このクリック操作の継続時間が所定時間より短い場合が上記押下操作に相当し、所定時間より長い場合が上記長押し操作に相当する。なお、押下操作を受け付けるボタンと、長押し操作を受け付けるボタンとを別々に設けるなど、操作部１０４の具体的構成は任意である。
【００４５】
図３では、表示部１０３と操作部１０４とを別々に表しているが、これらを一体的に構成することも可能である。その具体例として、タッチパネル式のＬＣＤを用いることができる。
【００４６】
［動作］
細隙灯顕微鏡１の動作について説明する。細隙灯顕微鏡１の動作の例を図４及び図５に示す。図４に示す動作例は、スリット幅指定ボタンにスリット幅（間隔情報）を対応付けるためのプリセット処理の一例である。図５に示す動作例は、プリセットされたスリット幅を再現するためのスリット幅再現処理の一例である。
【００４７】
〔スリット幅のプリセット処理〕
（Ｓ１：検査開始）
ユーザは、細隙灯顕微鏡１による検査を開始する。
【００４８】
（Ｓ２：スリット幅を調整して被検眼を観察する）
ユーザは、操作部１０４を操作してスリット幅を調整して被検眼Ｅの角膜Ｅｃを観察する。
【００４９】
（Ｓ３：スリット幅指定ボタンを長押し操作する）
ユーザは、この状態でスリット幅指定ボタンに対して長押し操作を行う。
【００５０】
（Ｓ４：スリット幅指定ボタンとスリット幅とを対応付けて間隔情報を生成する）
制御部１０１は、長押し操作が施されたスリット幅指定ボタンに対して、当該時点におけるスリット幅を対応付けることにより間隔情報を生成する。
【００５１】
この処理には、当該時点におけるスリット幅を取得する処理が含まれる。このスリット幅取得処理は、たとえば、制御部１０１が検出部３００からの電気信号に基づいてスリット刃の位置を求めることにより行うことができる。また、検出部３００を用いて基準位置が検出された時点（又はそれに対応して距離情報に基づきスリット刃が閉状態にされた時点）から現時点までの間におけるアクチュエータ２００の制御履歴（パルス信号のパルス数の送信履歴等）に基づいて、現時点におけるスリット幅を求めることも可能である。制御部１０１は、このようにして取得されたスリット幅を、ステップ３において長押し操作されたスリット幅指定ボタンに対応づけることにより間隔情報を生成する。
【００５２】
（Ｓ５：間隔情報をスリット幅情報に記録する）
制御部１０１は、生成された間隔情報をスリット幅情報１０２ａに記録する。なお、当該スリット幅指定ボタンに対してスリット幅が既に対応付けられている場合には、今回新たに生成された間隔情報に更新される。つまり、それまでの間隔情報が新たな間隔情報に上書きされる。以上で、スリット幅のプリセット処理は終了となる。
【００５３】
〔スリット幅再現処理〕
（Ｓ１１：スリット幅指定ボタンを押下操作する）
検査開始時又は検査中において、ユーザは、所望のスリット幅指定ボタンに対して押下操作を行う。
【００５４】
この押下操作の容易化を図るために、どのスリット幅指定ボタンにどのようなスリット幅が対応付けているかを呈示する構成を採用することができる。この構成として、スリット幅指定ボタンがハードウェアキーである場合、たとえば、スリット幅を示す情報（スリット幅の値、検査項目、検査日時等）を呈示するするデバイス（ＬＣＤ等）をハードウェアキーの上面やその近傍に設ける構成や、対応付けを示す情報を表示部１０３に表示させる構成を採用することが可能である。また、スリット幅指定ボタンがソフトウェアキーである場合、たとえば、スリット幅を示す情報をスリット幅指定ボタン上又はその近傍に表示させる構成を採用することが可能である。
【００５５】
（Ｓ１２：間隔情報を取得する）
制御部１０１は、ステップ１１で指定されたスリット幅指定ボタンに対応付けられた間隔情報をスリット幅情報１０２ａのうちから取得する。
【００５６】
（Ｓ１３：スリット幅を変更する）
制御部１０１は、ステップ１２で取得された間隔情報に基づいてアクチュエータ２００を制御することにより、スリット形成部５４の一対のスリット刃の間隔を当該間隔情報に示すスリット幅に変更する。
【００５７】
このとき、プリセット処理の場合と同様に、検出部３００による検出結果やパルス数を参照することができる。たとえば、制御部１０１が、検出部３００からの電気信号に基づいて現時点におけるスリット刃の位置（スリット幅）を特定し、特定されたスリット幅と間隔情報に示すスリット幅との差分を求め、この差分に基づいて制御信号（パルス信号等）を生成してアクチュエータ２００に送信するように構成することが可能である。また、制御部１０１が、検出部３００によりスリット刃が基準位置に位置すると検出されるまでスリット刃を移動させ、距離情報に基づきアクチュエータ２００を制御してスリット刃を閉状態にし、この閉状態から、間隔情報に示すスリット幅の状態まで移行させるためのパルス数を求めてパルス信号を生成してアクチュエータ２００に送信するように構成することも可能である。
【００５８】
（Ｓ１４：被検眼の観察を開始する）
ユーザは、ステップ１３で実現されたスリット幅にて被検眼Ｅの角膜Ｅｃを観察する。
【００５９】
（Ｓ１５：必要に応じてスリット幅を調整する）
ユーザは、操作部１０４を操作することにより、スリット幅を任意に調整することができる。具体的には、スリット幅を調整するための操作をユーザが操作部１０４を用いて行うと、この操作内容を示す電気信号が操作部１０４から制御部１０１に入力される。制御部１０１は、この操作信号に対応する制御信号（操作信号に対応するパルス数のパルス信号等）を生成し、この制御信号をアクチュエータ２００に送信する。それにより、操作内容に応じた分だけスリット幅が変更される。以上で、スリット幅再現処理は終了となる。
【００６０】
［効果］
細隙灯顕微鏡１の効果について説明する。
【００６１】
細隙灯顕微鏡１は、光源５１と、一対のスリット刃（スリット形成部５４）と、アクチュエータ２００と、駆動機構２１０と、記憶部１０２と、操作部１０４と、制御部１０１とを有する。光源５１は、照明光を発する。スリット刃は、照明光からスリット光を生成する。アクチュエータ２００は、駆動力を発生する。駆動機構は、この駆動力に基づいてスリット刃の間隔（スリット幅）を変更する。記憶部１０２は、スリット幅を示す間隔情報を１つ以上記憶する。制御部１０１は、１つ以上の間隔情報のうちの１つをユーザが操作部１０４を用いて指定したときに、スリット幅が当該間隔情報に示す間隔となるようにアクチュエータ２００を制御する。
【００６２】
このような細隙灯顕微鏡１によれば、１つ以上スリット幅を記憶しておき、ユーザが所望のスリット幅を指定したことに対応して当該スリット幅を自動的に再現することができる。したがって、同じスリット幅を用いた観察を容易に行うことが可能である。
【００６３】
ユーザが操作部１０４を用いて所定の操作を行ったときに、制御部１０１は、当該時点におけるスリット幅を示す間隔情報を生成して記憶部１０２に記憶させることができる。
【００６４】
それにより、任意の時点において適用しているスリット幅を容易に間隔情報として記憶させることができる。
【００６５】
操作部１０４は、スリット幅指定ボタンを有していてもよい。その場合、間隔情報を指定する操作は、所望のスリット幅指定ボタンを押下操作するものであってよい。更に、現時点におけるスリット幅を記憶させるための所定の操作は、長押し操作であってよい。
【００６６】
この構成によれば、スリット幅を指定するための操作（第１の操作。たとえばボタンの押下操作）と、スリット幅を記憶させるための操作（第１の操作と異なる第２の操作。たとえばボタンの長押し操作）とを容易に行うことができる。また、同じスリット幅指定ボタンで双方の操作を行うことができるので、装置構成の簡略化を図ることも可能である。
【００６７】
また、スリット幅情報１０２ａのデータ構成として、間隔情報と患者識別情報とを関連付ける形態を適用してもよい。それにより、患者ごとに記憶された間隔情報を選択的に呼び出して使用することができる。また、患者識別情報と被検眼識別情報（左眼／右眼を示す情報）の双方を間隔情報に関連付けるデータ構成を適用してもよい。それにより、各患者の各被検眼について記憶された間隔情報を選択的に呼び出して使用すること可能となる。
【００６８】
上記実施形態では、検出部３００としてフォトセンサを用いているが、それ以外の任意の検出デバイスを使用することも可能である。たとえば赤外線を用いた位置センサ、スリット刃（又はこれに接続された部材）の位置を検出するエンコーダなどを、検出部３００として用いることができる。
【００６９】
以上において説明した構成は、この発明を実施するための一具体例に過ぎない。この発明を実施しようとする者は、この発明の要旨の範囲内において任意の変形、追加、省略、置換を行うことが可能である。
【符号の説明】
【００７０】
１  細隙灯顕微鏡
６  観察系
８  照明系
５１  光源
５４  スリット形成部
１００  コンピュータ
１０１  制御部
１０２  記憶部
１０２ａ  スリット幅情報
１０３  表示部
１０４  操作部
２００  アクチュエータ
２１０  駆動機構
３００  検出部
Ｅ  被検眼
【図１】
2014033733.tif 000003
【図２】
2014033733.tif 000004
【図３】
2014033733.tif 000005
【図４】
2014033733.tif 000006
【図５】
2014033733.tif 000007